(57)【要約】【課題】普及度が高いスマートフォンなどの携帯型通信端末により遠隔操作可能な魚釣用電動リールを提供する。【解決手段】リール本体にWi-FiとBluetooth（登録商標）のうち少なくとも一方の無線通信モジュールを設けてなり、当該無線通信モジュールに対応する無線通信モジュールが設けられた携帯端末と通信可能とし、当該通信中に前記携帯端末から送信される命令信号に基づいて遠隔操作するようにした。リール本体には予め固有の機器特定コードが付与され、遠隔操作に先立ち、当該機器特定コードを携帯端末に読み取らせることで通信プロトコルを確立する。【選択図】図１
2016000028.tif 000002
【特許請求の範囲】
【請求項１】
リール本体にWi-FiとBluetoothのうち少なくとも一方の無線通信モジュールを設けてなり、当該無線通信モジュールに対応する無線通信モジュールが設けられた携帯端末と通信可能とし、当該通信中に前記携帯端末から送信される命令信号に基づいて遠隔操作することを特徴とする魚釣用電動リール。
【請求項２】
リール本体には予め固有の機器特定コードが付与され、当該機器特定コードを携帯端末に読み取らせることで通信プロトコルを確立する請求項１記載の魚釣用電動リール。
【請求項３】
機器特定コードは、リール本体に付したバーコードに記録した請求項２記載の魚釣用電動リール。
【請求項４】
無線通信モジュールはBluetoothモジュールであり、機器特定コードは前記Bluetoothモジュールが予め保有するＰＩＮコードである請求項２記載の魚釣用電動リール。
【請求項５】
リール本体は表示部を備え、該表示部に表示される画像情報を無線通信モジュールを介して携帯端末に送信する請求項１から４のうち何れか一項記載の魚釣用電動リール。
【請求項６】
リール本体の動作エラー時又は／及び動作終了時に当該通知信号を無線通信モジュールを介して携帯端末に送信する請求項１から５のうち何れか一項記載の魚釣用電動リール。
【請求項７】
請求項１から６のうち何れか一項記載の魚釣用電動リールと、該魚釣用電動リールに設けられた無線通信モジュールと通信可能な無線通信モジュールを予め設けると共にタッチパネルを有し、さらに上記魚釣用電動リールとの通信時に当該魚釣用電動リールを遠隔操作する専用プログラムをインストールした携帯端末とを備え、当該携帯端末にて前記専用プログラムの実行中に前記タッチパネルの操作により前記魚釣用電動リールを遠隔操作することを特徴とした魚釣用電動リールの遠隔操作システム。
【請求項８】
魚釣用電動リールは機器特定コードが異なるＮ台（但し、Ｎは２以上）を備え、携帯端末は前記機器特定コードに基づいて前記Ｎ台の魚釣用電動リールを個別に遠隔操作可能とした請求項７記載の魚釣用電動リールの遠隔操作システム。
【請求項９】
無線通信モジュールはBluetoothモジュールであり、Ｎ台の魚釣用電動リールそれぞれの機器特定コードは当該魚釣用電動リールに設けられた前記Bluetoothモジュールが予め保有するＰＩＮコードであり、携帯端末は前記ＰＩＮコードに基づいて前記Ｎ台の魚釣用電動リールそれぞれと通信プロトコルを確立すると共に、当該Ｎ台の魚釣用電動リールそれぞれに、前記ＰＩＮコードとは別途、任意のデバイスネームを新たに付与し、このデバイスネームに基づいてＮ台の魚釣用電動リールそれぞれを遠隔操作可能とした請求項８記載の魚釣用電動リールの遠隔操作システム。
【請求項１０】
携帯端末はＮ台の魚釣用電動リールに対して同一の命令信号を一斉に送信可能とした請求項８又は９記載の魚釣用電動リールの遠隔操作システム。
【請求項１１】
携帯端末は、スマートフォンである請求項７から１０のうち何れか一項記載の魚釣用電動リールの遠隔操作システム。
【発明の詳細な説明】
【技術分野】
【０００１】
この発明は、モータを動力として釣糸を巻き取る魚釣用電動リールを遠隔操作する技術に係り、より詳しくは、スマートフォンや携帯電話などをリモコン端末として、Bluetooth（登録商標）やWi-Fi（Wireless Fidelity）により魚釣用電動リールを遠隔操作する構成に関するものである。
【背景技術】
【０００２】
従来、リール本体をリモコンによって遠隔操作するようにした魚釣用電動リールは公知であり、本出願人も両者を無線通信によって接続する構成をいくつか開示している（特許文献１〜４）。
【０００３】
魚釣用電動リールを無線で遠隔操作するメリットは、主として、漁師が一人で漁猟を行う場合に見出される。即ち、漁業としての魚釣りの場合、漁師は、リールの操作はもちろんのこと、船の操縦や魚群探知機の確認等、全ての作業を一人でしなければならない。そこで、遠隔操作可能なリールを採用することで、他の作業を疎かにすることなく、魚釣りに専念することができるようになる。
【０００４】
特に、無線遠隔操作のメリットは、複数台のリールを同時使用する場合に顕著であり、本出願人が開示した特許文献３では、１台のリモコン端末で複数台のリールを操作する技術を確立している。
【０００５】
また、本出願人による特許文献４では、リモコン端末にリール本体の操作状態や釣果の妨げとなる警告などの各種情報をリアルタイムに表示する機能を持たせたことで、漁師が手元でリモコン端末に表示される画像等を通じてリールの操作状況を的確に把握できるようになり、なんらかの問題が発生した場合も適正な処置を迅速に行うことができるようにしている。
【先行技術文献】
【特許文献】
【０００６】
【特許文献１】特開平７−８７８６４号公報
【特許文献２】特開２００１−１６１２３５号公報
【特許文献３】特開２００４−６５０７１号公報
【特許文献４】特開２００５−２１８３５４号公報
【発明の概要】
【発明が解決しようとする課題】
【０００７】
上述のように、魚釣用電動リールを遠隔操作し、必要に応じて、リールの状態をリモコン側で表示する技術は存在したが、その手段として従来は専用のリモコンを使用していた。このため、メーカー側はリール本体とは別に専用リモコンを製造等するための設備投資を必要とした。全てのリール本体に専用リモコンを一律添付できれば生産効率が上がり、リモコン１台当たりのコストも下げられるが、趣味として釣りをするユーザーにはリモコンを必要としないことが多いことから、専用リモコンをリール本体とは別売りの形で提供していたのが実状である。
【０００８】
さらに、専用リモコンは、リール毎、メーカー毎に仕様が異なるのが一般的であるところ、ユーザーにとって、リール本体は満足でも、使い勝手の面でリモコンに不満を抱かせることになれば、ユーザーのリール選択の幅を狭めることになる。
【０００９】
ところで、携帯型通信端末として極めて普及度が高い携帯電話やスマートフォンは、本来的な通話機能だけでなく、Wi-FiやBluetooth（登録商標）の各モジュールを設けたことにより、パソコンやプリンター等のＰＣ周辺機器、ヘッドフォンやマイクロフォン等の外部機器と無線通信を行うことができる。特に、基本ＯＳが実装されたスマートフォンやタブレット型端末では「アプリ」と言われる個別プログラムをインストールすることで、パソコン並みの高度な処理が可能となり、近年ではスマートフォンを使って家電や自動車までも遠隔操作する開発が進められている。
【００１０】
したがって、ＰＣ並みの性能と携帯性に優れたスマートフォンなどの携帯型通信端末を魚釣用電動リールのリモコン端末として利用できれば、メーカー側にとっては専用リモコンの設備投資が不要となり、またユーザーにとっては既に所有しているスマートフォンなどの携帯型端末を利用できることから、上述した従来の専用リモコンによる問題点を全て解消することができる。
【００１１】
本発明は、上述した課題に鑑みなされたもので、その目的とするところは、普及度が高いスマートフォンなどの携帯型通信端末により遠隔操作可能な魚釣用電動リールを提供することである。
【課題を解決するための手段】
【００１２】
上述した目的を達成するために本発明では、リール本体にWi-Fi又はBluetooth（登録商標）のうち少なくとも一方の無線通信モジュールを設けてなり、当該無線通信モジュールに対応する無線通信モジュールが設けられた携帯端末と通信を可能とした。そして、携帯端末から送信される命令信号（コマンド）をリール本体側で受信して、当該命令信号に基づいて、釣糸の巻き取りや停止、繰り出しに係るモータ制御、ＬＣＤ（液晶ディスプレイ）の表示、音声の出力、各種データの記録等、魚釣用電動リールが有する機能を遠隔操作可能とするという手段を用いた。なお、遠隔操作の対象となるコマンドは、任意に設定することができる。
【００１３】
リールと携帯端末をWi-Fi又はBluetooth（登録商標）で通信する場合、事前に両者のペアリング（通信プロトコル確立のための機器登録）が必要となる。そこで、リール本体には予め固有の機器特定コードを付与しておき、当該機器特定コードを携帯端末に読み取らせることで両者の通信プロトコルを確立するという手段を用いる。
【００１４】
機器特定コードは、典型的にはランダムな数値からなり、ペアリング時に携帯端末側で当該コードを手入力することも可能であるが、リール本体に付したバーコードに当該コードを記録しておくことで、携帯端末でバーコードを読み取らせれば、手入力なしで、簡単に当該機器特定コードをを携帯端末に読み取らせることができる。
【００１５】
特に、無線通信モジュールとしてBluetooth（登録商標）モジュールを採用する場合、機器特定コードは前記Bluetooth（登録商標）モジュールが予め保有するＰＩＮコードであることが好ましい。Bluetooth（登録商標）モジュールは回路基板に無線アンテナ等が設けられると共に、モジュール毎に４〜１６桁の任意の文字列からなるＰＩＮコードが付与されており、このＰＩＮコードを接続対象機器（本発明では携帯端末）に入力等により読み取らせることで、GAP(Generic Access Profile)等のプロファイルにしたがって通信プロトコルが確立する。このようにＰＩＮコードを魚釣用電動リールの機器特定コードとして利用することで、別途、機器特定コードを設定する必要がなくなり、また、汎用のプロファイルによって携帯端末との通信プロトコルを確立することができる。なお、ＰＩＮはPersonal Identification Numberの略であり、ＰＩＮコードはパスキー、認証鍵、暗証番号と呼ばれることもある。
【００１６】
また、リール本体はＬＣＤや有機ＥＬＤなどの表示部を備え、該表示部に表示される画像情報を無線通信モジュールを介して携帯端末に送信することが好ましい。これによって、ユーザーが手元でリール本体の状態を携帯端末の画面により確認することができるようになる。なお、画像情報はリール本体に表示される全部を送信することも、その一部を送信することもできる。
【００１７】
さらに、リール本体の動作エラー時又は／及び動作終了時に当該通知信号を無線通信モジュールを介して携帯端末に送信することが好ましい。前記通知信号に基づいて、携帯端末が画像表示、音声出力、バイブレーションを行うことで、リール本体の状態をリアルタイムにユーザーに伝えることができるからである。
【００１８】
上述の魚釣用電動リールの遠隔操作システムとしては、当該魚釣用電動リールと、該魚釣用電動リールに設けられた無線通信モジュールと通信可能な無線通信モジュールを予め設けると共にタッチパネルを有し、さらに上記魚釣用電動リールとの通信時に当該魚釣用電動リールを遠隔操作する専用プログラムをインストールした携帯端末とを備え、前記魚釣用電動リールは前記専用プログラムの実行中に当該携帯端末のタッチパネルの操作により遠隔操作するという手段を用いる。
【００１９】
携帯端末と魚釣用電動リールとは１対１の関係とすることが可能であるが、魚釣用電動リールは機器特定コードが異なるＮ台（但し、Ｎは２以上）を備え、携帯端末は前記機器特定コードに基づいて前記Ｎ台の魚釣用電動リールを個別に遠隔操作可能とした。
【００２０】
より具体的な手段として、無線通信モジュールはBluetooth（登録商標）モジュールであり、Ｎ台の魚釣用電動リールそれぞれの機器特定コードは当該魚釣用電動リールに設けられた前記Bluetooth（登録商標）モジュールが予め保有するＰＩＮコードであり、携帯端末は前記ＰＩＮコードに基づいて前記Ｎ台の魚釣用電動リールそれぞれと通信プロトコルを確立すると共に、当該Ｎ台の魚釣用電動リールそれぞれに前記ＰＩＮコードとは異なる任意のデバイスネームを付与し、このデバイスネームに基づいてＮ台の魚釣用電動リールそれぞれを遠隔操作可能とした。通常、同じ型番を有する複数の機器とBluetoothによって通信するとき、携帯端末には前記同じ型番が同時に表示される。このため、使用者側は機器の区別が困難となる。しかし、本発明ではＰＩＮコードによって通信プロトコルが確立したＮ台の魚釣用電動リールそれぞれに、ＰＩＮコードや型番とは別途、使用者が選択自在な任意のデバイスネームを新たに付与するようにしたから、以降、このデバイスネームによって、どのリールを遠隔操作するか、又、しているかの区別が容易となる。ただし、ＰＩＮコードをデバイスネームとして付与・登録することを排除するものではない。
【００２１】
この場合、携帯端末はＮ台の魚釣用電動リールに対して同一の命令信号を一斉に送信可能とした。
【００２２】
なお、携帯端末は、スマートフォンであることが好ましい。標準でWi-FiやBluetooth（登録商標）の通信モジュールが設けられており、そのままの状態で専用プログラムをインストールすることで、魚釣用電動リールのリモコン端末として使用できるからである。また、極めて普及度が高く、ユーザーにとって使い慣れており、メーカーも専用のリモコンを用意する必要がないからである。
【発明の効果】
【００２３】
本発明によれば、リール本体にWi-FiとBluetooth（登録商標）のうち少なくとも一方の無線通信モジュールを設け、これと同じモジュールを設けた既存の携帯端末と無線通信を行い、携帯端末側でリール本体を遠隔操作可能としたので、従来の専用リモコンが不要となる。しかも、携帯端末としてスマートフォンを利用することで、ユーザーは自身のスマートフォンをリモコン端末として使用できるようになるから、リモコンのために新たな出費が強いられず、しかも、自身のスマートフォンは使い慣れているうえ、専用のプログラムをインストールことでメーカーやリール毎の仕様に依存することなく、遠隔操作するリールを広範に選択することができるようになる。
【図面の簡単な説明】
【００２４】
【図１】本発明の一実施形態に係る魚釣用電動リールの遠隔操作システム全体の概略図
【図２】同システムにおける遠隔操作の手順を示すフローチャート
【図３】同システムにおけるスマートフォンのアプリ起動中の表示イメージ例
【図４】同システムにおけるスマートフォンの通報例を示す説明図
【発明を実施するための形態】
【００２５】
以下、本発明の好ましい実施の形態を添付した図面に従って説明する。図１は、本発明の一実施形態に係る魚釣用電動リールの遠隔操作システムの概略図であって、１はスマートフォン、２〜６は魚釣用電動リールである。スマートフォン１は、入力装置と表示装置を兼ねるタッチパネル１ａを有し、内部構成としてＣＰＵやメモリを有し（何れも図示せず）、さらに、通信手段として、Wi-Fi及びBluetooth（登録商標）に準拠した無線通信モジュールが設けられている。メモリには予め基本ＯＳがインストールされており、このＯＳに対応する個別プログラム（いわゆる「アプリ」）をインストールすることが可能であり、本発明では、魚釣用電動リール２〜６を遠隔操作する専用プログラムをインストールしている。この専用プログラムの内容は、魚釣用電動リール２〜６が有するモータ制御プログラムと基本的に同じである。即ち、魚釣用電動リール２〜６もＣＰＵやメモリを備え、モータ制御プログラムを実行することで、棚位置の設定、魚の引張り（負荷）に応じた釣糸の巻き取り、これら情報の表示といった制御を行う。こうした制御は、リール本体に設けた各種スイッチを直接操作することで実行することも可能であるが、本発明では、これと同等の制御を前記専用プログラムにてスマートフォン１からもできるようにしている。
【００２６】
そして、スマートフォン１によって魚釣用電動リール２〜６を遠隔操作する場合の具体的手段として、魚釣用電動リール２〜６にはWi-FiとBluetooth（登録商標）のうち少なくとも一方の無線通信モジュール（図示せず）を設けている。したがって、スマートフォン１と魚釣用電動リール２〜６とはWi-Fi又はBluetooth（登録商標）によって無線により通信が可能となっている。なお、何れの接続を使用するかは自由であるが、一般的にWi-Fiのほうが大容量の通信に適しているが、スマートフォン１をインターネット回線に接続するためのアクセスポイントが必要であり、通信費も発生する。一方、Bluetooth（登録商標）は大容量の通信には不向きであるが、アクセスポイントを要せず、相手方機器と直接ペアリングが可能という簡便さを有する。さらに、Bluetooth（登録商標）はIrDA（赤外線）より優れた点として、通信距離１０ｍ以内において障害物があっても利用することができる。また、Bluetooth（登録商標）はIrDAに比べ消費電力が小さく、製造コストも低いというメリットがある。
【００２７】
また、上記無線通信を行う前提として、魚釣用電動リール２〜６それぞれには固有の機器特定コードが付与されており、当該機器特定コードをスマートフォン１に読み込ませることで魚釣用電動リール２〜６との通信プロトコルを確立する。そして、スマートフォン１から命令信号を送信する際、機器特定コードを同報することで、そのコードが付された魚釣用電動リール２〜６を遠隔操作できるようになる。逆に、魚釣用電動リール２〜６からスマートフォン１に送信される情報についても、その機器特定コードが同報され、これによって、どの魚釣用電動リール２〜６からの情報なのかをスマートフォン１側に認識させることができる。なお、本実施形態では、対象リールとして５台の魚釣用電動リール２〜６を例示しているが、１〜４台を対象とする場合も、６台以上を対象とする場合も、機器特定コードを用いてペアリングすることに変わりはない。
【００２８】
ここで、スマートフォン１に機器特定コードを読み取らせる手段としては、機器特定コードが製品ラベル等に数値として記載されている場合、当該数値をスマートフォン１に直接入力することができる。しかし、入力の手間やミスがあり、また、他人が勝手に当該コードを使用する恐れも皆無ではないため、リール本体に付したバーコード（図示せず）に機器特定コードを記録しておくことが好ましい。このバーコードは、スマートフォン１が有するカメラ機能によって撮影し、バーコード解析アプリによって、バーコードに記録された機器特定コードをスマートフォン１に認識させることができる。
【００２９】
図２は、上記システムにおける遠隔操作の手順を示すフローチャートである。ステップＳ１では、スマートフォン１の電源をオンにし、インストールされているアプリから魚釣用電動リールの遠隔操作専用のアプリを起動する。すると、ステップＳ２にて、アプリの初期化処理が行われる。なお、このステップＳ２では、魚釣用電動リール２〜６とのペアリングを行うため、機器特定コードの入力を要求する画面等が表示される。そして、ステップＳ３にて、入力された魚釣用電動リール２〜６それぞれの機器特定コードに基づいて、スマートフォン１と魚釣用電動リール２〜６の通信プロトコルを確立する。よって、一度通信プロトコルが確立したならば、その状態を記憶しておくことで、次回からはステップＳ２・Ｓ３はみかけ上、割愛することができる。
【００３０】
このようして通信プロトコルが確立したならば、遠隔操作の準備として、スマートフォン１は魚釣用電動リール２〜６からそのときの状態を示す情報を受信したかどうかを判別する（ステップＳ４）。この情報は、魚釣用電動リール２〜６がＬＣＤ（液晶ディスプレイ）や有機ＥＬＤなどの表示部を備えたものであれば、これに表示するものと同様内容の画像情報を魚釣用電動リール２〜６から受信し、この画像情報をスマートフォン１のタッチパネル１ａに表示しする（ステップＳ５）。同時に、当該表示だけでなく、リールや通信の異常の有無の通報を、メッセージや音声発生、あるいはバイブレーションによって実行することも可能である（ステップＳ６）。
【００３１】
これらステップＳ５・Ｓ６を経て、またはステップＳ４でリールからデータ未受信と判定した場合、実際に魚釣用電動リール２〜６を遠隔操作するために、スマートフォン１のタッチパネル１ａに入力（操作）があったかどうか判別する（ステップＳ７）。ここで入力なしの場合はステップＳ４に戻る。一方、入力ありと判定したときは、どのような入力があったか、そのコマンドを解析し（ステップＳ８）、正常な入力（操作）を判別して（ステップＳ９）、正常なコマンドであれば当該命令信号を対象のリールに送信する（ステップＳ１０）。このとき、機器特定コードを同報することで、当該コードが付されたリールにコマンドが送信されることはもちろんである。また、通信プロトコルが確立している全てのリールに対して同一コマンドを一斉送信することもできる（ブロードキャスト機能）。
【００３２】
そして、ステップＳ１０の命令信号を受信した魚釣用電動リール２〜６それぞれは、受信したコマンドに相当する動作を開始する。即ち、仕掛けの投入であれば、目標の棚位置に到達したときにスプールを回転フリーの状態からクラッチを接続して巻き取り可能状態に復帰する。また、巻取り開始であれば、モータを駆動して巻き取り動作を開始し、適当な段階でモータを停止する。さらに、速度調整であれば、巻き取り動作中にモータ速度を設定速度に調整する。
【００３３】
図３は、スマートフォン１の遠隔操作専用アプリの起動中に、そのタッチパネル１ａの表示イメージを例示したものである。即ち、この例では、リールの状態を表示する確認画面として、リールからの釣糸の繰り出し長を示す深さ表示Ａを備え、その下方には設定した棚深さＢを表示し、当該確認画面の左方には、リールに対する命令信号を生成するコマンドの表示画面として、タップにより選択が可能な深さ記憶Ｃ、船べり停止Ｄ、自動巻取Ｅ、スピード変速Ｆ１・Ｆ２を備えている。また、深さ表示Ａの上方には、リールとの通信状態をインジケータ的に示すアンテナ表示Ｇを備えている。そして、こうした表示イメージは、魚釣用電動リール２〜６毎に用意され、画面最上段のタグＨをタップすることでリール毎に表示イメージを切り替えることができる。
【００３４】
そして、ステップＳ１０による遠隔操作による動作の結果や、仮に動作中に異常が発生した場合は、当該通知信号（ステータス）を魚釣用電動リール２〜６から受信して、画像表示、音声発生、バイブレーション等でユーザーに通報する（ステップＳ１１）。図４は、音声やメッセージによる通報例を示したものである。
【００３５】
以降、ステップＳ４に戻り、アプリ終了時まで上述した手順を繰り返す。
【００３６】
以上が本発明を実施するうえでの基本的な構成及び手順であるが、変形例として、リモコン端末としてのスマートフォン１は携帯電話（いわゆるガラケー）やタブレット端末であってもよい。本発明で必要なことは、携帯端末はWi-FiとBluetooth（登録商標）のうち少なくとも一方の無線通信モジュールを設けた携帯端末であることである。また、遠隔対象のリール数は、上述のように、５台に限定するものではなく、１台であってもよいし、２〜４台でもよく、さらには６台以上とすることも可能である。本発明で必要なことは、魚釣用電動リールはWi-FiとBluetooth（登録商標）のうち少なくとも一方の無線通信モジュールを設け、固有の機器特定コードを有して、携帯端末と通信プロトコルを確立できることである。さらに、携帯端末はタッチパネルを備えるものであることが好ましいが、表示部（ディスプレイ）と入力部（キーボード）が独立しているものであってもよい。本発明で必要なことは、携帯端末はコマンドの入力によって命令信号を生成し、これを魚釣用電動リールに送信し、実行させることであり、また、魚釣用電動リールから状態情報を受信し、これを表示し、同時に音声やバイブレーションで通報を行うことである。さらにまた、携帯端末は遠隔操作用のプログラムをインストールすることで、より高度に、且つ、簡便に、魚釣用電動リールを遠隔操作できるようになるが、このプログラムの内容までも限定するものではない。
【００３７】
特に、無線通信モジュールとしてBluetooth（登録商標）モジュールを採用する場合は、各モジュールが予め有するＰＩＮコードをリールの機器特定コードとして利用できるので、合理的である。さらに、通信プロトコルの確立後（図２のＳ３）、各リールに対してＰＩＮコードや型番とは別途、任意のデバイスネームを新たに付与することで、使用者（携帯端末）はデバイスネームによって、どのリールを遠隔操作するか、又、しているかを容易に判別することができる。このデバイスネームは、図３のタグＨに示された「リール１〜リール５」を例示することができ、この他、船釣りの場合、リールの設置場所に応じて「左舷１〜左舷３」「右舷１〜３」というようなデバイスネームを設定することも可能である。
【符号の説明】
【００３８】
１  スマートフォン
１ａ  タッチパネル
２〜６  魚釣用電動リール
【図２】
2016000028.tif 000003
【図１】
2016000028.tif 000004
【図３】
2016000028.tif 000005
【図４】
2016000028.tif 000006